(57)【要約】　　　（修正有）【課題】簡単安価な高力率形のハーフブリッジ方式のインパータ装置を提供する。【解決手段】順直列・一対の第一スイッチング素子３１・第二スイッチング素子３２と、第一スイッチング素子３１に長いオン期間を形成し第二スイッチング素子３２に短いオン期間を形成するようにそれらを交互にオンオフさせる制御回路２０を備える。第一スイッチング素子３１を介して交流負荷回路５０に順方向電流を供給する第一コンデンサ７１を、第二スイッチング素子３２を介して交流負荷回路５０に逆方向電流を供給する第二コンデンサ７２を備える。第一スイッチング素子３１と順直列となり第一フライホイールダイオード４１と逆直列となる位置に配置する補助ダイオード９０を備え、オード９０・補助コンデンサ８０問に該補助コンデンサ８０の放電が整流電源１０を介してなされる。第一コンデンサ７１を介してなされないように選択するための放電選択用ダイオード９５を備える。【選択図】　　　図１
2004146324.tif 000002
【特許請求の範囲】
【請求項１】
交流電源電圧を整流する整流形電源を備え、前記整流電源の出力電圧を順力向に受けるように配置される順直列・一対の第・スイッチング素子・第スイッチング素子を備え、前記第一スイッチング素子に長いオン期間を形成し前記第二スイッチング素子に短いオン期間を形成するようにそれらを交互にオンオフさせる制御回路を備え、前記第一スイッチング素子と逆前列に接続する第一フライホイールダイオードを備え、前記第二スイッチング素子と逆並列に接続する第二フライホイールダイオードを備え、前記各スイッチング素子の接続交点に接続される交流負荷回路を備え、前記交流負荷回路は放電灯とそれに直列のバラスト用インダクタを含む回路であり、前記第一スイッチング素予を介して前記交流負荷回路に順方向電流を供給する第一コンデンサを備え、前記第二スイッチング素子を介して前記交流負荷回路に逆方向電流を供給する第二コンデンサを備え、前記第一スイッチング素子と順直列となり前記第一フライホイールダイオードと逆直列となる位置に配置する補助ダイオードを備え、前記補助ダイオードと並列に配置する補助コンデンサを備え、前記補助ダイオード・補助コンデンサ問に該補助コンデンサの放電が前記整流電源を介してなされ、前記第一コンデンサを介してなされないように選択するための放電選択用ダイオードを備えたことを特徴とする放電灯点灯装置。
【発明の詳細な説明】
【０００１】
【発明の属する技術分野】
本発明は交流電源電圧を整流する整流電源を含むインバータ装置に関するものである。
【０００２】
【従来の技術】
交流電源地上を整流する整流電源を備え、順直列一対の交互にオンオフするように制御されるスイッチング素子を備え、前記各スイッチング素子と逆並列に接続するフライホイールダイオードを備え、直列一対の大容量アーム用コンデンサを備え、前記両スイッチング素子の接続中点と前記両容量アーム用コンデンサの接続交点との間に接続する誘導性交流負荷を備え、前記整流電源の回路と前記各スイッチング秦字の回路と前記各大容量アーム用コンデンサの回路とを並列に接続して前記誘導社交流負荷へ高周波電力を供給するインバータ装置は既知である。それはブリッジアームの２辺を大容量アーム用コンデンサへ置換するハーフハーフブリッジ形である。この場合の各大容量アーム用コンデンサの回路は平滑回路として機能するので、別途の平滑用コンデンサを補うことは不要である。
【０００３】
【発明が解決しようとする課題】
前記従来のインバータ装置は平滑回路を兼ねる各大容量アーム用コンデンサの回路を整流電源に直に接続する形式である。その場合の整流電源はその電圧瞬時値がほぼ最大となるごく狭い期間にのみ給電し、その間に各大容量アーム用コンデンサを急に充電するため、低力率形となる。
本発明の目的は簡単安価な高力率形のハーフブリッジ方式のインパータ装置を提供することである。
【０００４】
【課題を解決するための手段】
本発明は整流電源１０の出力電圧を順方向に受けるように配置される順直列一対の第一スイッチング素字３１・第二スイッチング素子３２を備え、前記第一スイッチング素子３１に長いオン期間を形成し前記第二スイッチング素子３２に短いオン期間を形成するようにそれらを交互にオンオフさせる制御回路２０を備えている。
さらに前記第一スイッチング素子３１と順直列となり第一スイッチング素子３１と逆並列に接続される第一フライホイールダイオード４１と逆直列となる位置に配置する補助ダイオード９０を備え、この補助ダイオード９０と並列に補助コンデンサ８０を接続し、前記補助タイオード９０・補助コンデンサ８０問に該補助コンデンサ８０の放電が前記整流電源１０を介してなされるよう放電選択用ダイオード９５を設けている。
【０００５】
【発明の実施の形態】
図１のインパータ装置は基本的にはハーフブリッジ形インバータとしての周知動作を営む。まず第２スイッチング素子３２がオンすると第２コンデンサ７２→誘導性負荷５０→第２スイッチング素子３２→第２コンデンサ７２へとＩ１電流が流れる。次に第１スイッチング素子３１がオン、第２スイッチング素了３２がオフするとまずインダクタ５２に蓄えられた電磁エネルギーの放出電流１２がインダクタ５２→第一フライホイールダイオード４１→補助コンデンサ８０→放電選択用ダイオード９５→第１コンデンサ７１→インダクタ５２と流れ補助コンデンサ８０を図示の極性に充電する。次にインダクタ５２に蓄えられた竃磁エネルギーがなくなると補助コンデンサ８０に蓄えられた電荷の放出電流Ｉ３が第１スイッチング素子３１→誘導性負荷５０→第２コンデンサ７２→整流電源１０→補助コンデンサ８０と整流電源１０を介して流れる。ここで第１スイッチング素子３１のオン期間は長く、第２スイッチング素了・３２のオン期間は短くなるよう制御回路２０にて交互にオンオフさせるため、第２スイッチング素字３２がオンしているときに流れる電流Ｉ１の動作は高電圧強遅相形であり、短期間に所要の平均値を確保するピーク値の高い波形となることから、第２スイッチング素子３２がオフしたときのインダクタ５２の電磁エネルギーが豊富なため、補助コンデンサ８０に蓄えられるエネルギーも豊富となる。このため、補助コンデンサ８０に蓄えられたエネルギーが放電するときに整流電源１０の給電も豊富であるため、整流電源１０の導通角が広がり、力率を高めることができる。
【０００８】
【発明の効果】
本発明は第一スイッチング素子３１と打順直列となり第一スイッチング素子３１と逆並列に接続される第一フライホイールダイオード４１と逆直列となる位置に配置する補助ダイオード９０と、この補助ダイオード９　０と並列に補助コンデンサ８０を接続するとともに補助ダイオード９０・補助コンデンサ８０問に該補助コンデンサ８０の放電が整流電源１０を介してなされるよう放電選択川ダイオード９５を設け、第一スイッチング素子３１に長いオン期間を形成し前記第二スイッチング素子３２に短いオン期間を形成するようにそれらを交互にオンオフさせる制御回路２０を備えることにより整流電源１０、交流電源１１の導週角を広げることができるため、簡単に安価な高力率形のハーフブリッジ方式のインバータ装置が得られる。
【図面の簡単な説明】
【図１】本発明に係る放電灯点灯装置の回路図である。
【符号の説明】
１０：整流形電源回路
１１：交流電源
１２，１３，１４，１５；整流ダイオード
２０：制御回路
３１、３２：スイッチング素子
４１、４２：フライホイールダイオード
５０：誘導性負荷
５１：蛍光ランプ
５２：インダクタ
７１，７２：コンデンサ
８０：補助コンデンサ
９０：補助ダイオード
９５：放電選択用ダイオード
【図１】
2004146324.tif 000003